(57)【要約】【課題】  様々な器具に装着できるという汎用性を有しつつ，違和感を生じさせたり皮膚への炎症を引き起こしたりすることのない健康器具を提供する。【解決手段】  薄板形状の健康器具１００は，チタン部材からなる地板１１２と，ゲルマニウム部材からなる突起部１１４と，接着部材１２２と，接着部材を覆う保護部材１２４とを含み，保護部材１２４を剥離して接着部材１２２を器具２００に接着し，器具を人体に装着することにより，健康部材を皮膚３００に接触させることを特徴とする。人体に装着（接触）する器具であればどのようなものにでも接着でき，汎用性の高い健康器具を提供することが可能である。また，従来のようにテープや糊などの接着面が直接皮膚に触れることがないので，違和感を生じさせたり皮膚への炎症を引き起こしたりすることがない。【選択図】  図５
2007089796.tif 000002
【特許請求の範囲】
【請求項１】
薄板形状の健康器具であって，
前記薄板形状の一の面に設けられ，皮膚への接触に有効性がある物質を含む健康部材と，
前記薄板形状の他の面に設けられた接着部材と，
前記接着部材を覆う保護部材と，
を含み，
前記保護部材を剥離して前記接着部材を器具に接着し，前記器具を人体に装着することにより，前記健康部材を皮膚に接触させることを特徴とする，健康器具。
【請求項２】
前記健康部材はゲルマニウムを含むことを特徴とする，請求項１に記載の健康器具。
【請求項３】
前記健康部材はチタンを含むことを特徴とする，請求項１または２に記載の健康器具。
【請求項４】
前記健康部材には，１または２以上の突起部が設けられていることを特徴とする，請求項１〜３のいずれかに記載の健康器具。
【請求項５】
前記健康部材には，３つの突起部が設けられており，前記３つの突起部は略正三角形の頂点の位置に配置されることを特徴とする，請求項１〜３のいずれかに記載の健康器具。
【発明の詳細な説明】
【技術分野】
【０００１】
本発明は健康器具にかかり，特に，皮膚への接触に有効性がある部材を含む健康器具に関する。
【背景技術】
【０００２】
皮膚への直接的な接触に有効性がある物質としては，ゲルマニウム（Ｇｅ），チタン（Ｔｉ）などが知られている。従来，ゲルマニウムを利用した健康回復具，健康治療具として，特開２００４−７７２４１号公報に開示された技術がある。同文献に開示された腕時計は，時計本体の裏蓋の外側面の一部がゲルマニウムを含む材質からなるゲルマニウム部材で形成されてなることを特徴とするものである。
【０００３】
【特許文献１】特開２００４−７７２４１号公報
【発明の開示】
【発明が解決しようとする課題】
【０００４】
しかしながら，必ずしもすべての者が腕時計をするとは限らず，特に健康器具を必要とする高齢者等の中には腕時計をしない者も多く存在する。また，家事，仕事あるいは運動等の際には腕時計を外す必要がある場合もあり，健康器具を常時皮膚に接触させていたいというニーズに応えることができない。また，腕時計は通常利き腕でない腕の手首にのみ装着するものであり，他の箇所に装着することはできない。このように，腕時計に限定した健康器具では汎用性が低いという問題があった。また，腕時計と異なり，人体に直接貼る健康器具であれば，常時皮膚に接触させることも可能であるが，テープや糊などが直接皮膚に触れるため，違和感が生じたり，皮膚の炎症を引き起こしたりといった別の問題が生じていた。
【０００５】
本発明は，従来の健康器具が有する上記問題点に鑑みてなされたものであり，本発明の目的は，様々な器具に装着できるという汎用性を有しつつ，違和感を生じさせたり皮膚への炎症を引き起こしたりすることのない，新規かつ改良された健康器具を提供することである。
【課題を解決するための手段】
【０００６】
上記課題を解決するため，本発明によれば，薄板形状の健康器具であって，前記薄板形状の一の面に設けられ，皮膚への接触に有効性がある物質を含む健康部材と，前記薄板形状の他の面に設けられた接着部材と，前記接着部材を覆う保護部材と，を含み，前記保護部材を剥離して前記接着部材を器具に接着し，前記器具を人体に装着することにより，前記健康部材を皮膚に接触させることを特徴とする，健康器具が提供される。
【０００７】
かかる構成によれば，人体に装着（接触）する器具であればどのようなものにでも接着でき，汎用性の高い健康器具を提供することが可能である。また，従来のようにテープや糊などの接着面が直接皮膚に触れることがないので，違和感を生じさせたり皮膚への炎症を引き起こしたりすることがない。また，器具と皮膚との間に隠れるため，外観としてもまったく目立つことなく効果を発揮させることが可能である。また，破損したり，汚れたりした場合には容易に交換することができる。
【０００８】
本発明の健康器具において，前記健康部材はゲルマニウムを含むように構成してもよい。また，前記健康部材はチタンを含むように構成してもよい。チタンやゲルマニウムはその電気的特性から自律神経を調整し，新陳代謝を促進する機能が認められ，皮膚への直接的な接触に有効性がある。
【０００９】
前記健康部材には，１または２以上の突起部（突起または突出した形状）が設けられている構成としてもよい。突起部が皮膚に触れることにより，皮膚に適度の刺激を与えることができる。本発明にかかる健康器具は，手首，足裏，腰部，首筋，こめかみなど身体の様々な部位に装着することができる。従って，突起部により体の壺を刺激することができ，健康回復・健康治療に一層効果がある。
【００１０】
前記健康部材には，３つの突起部が設けられており，前記３つの突起部は略正三角形の頂点の位置に配置されるように構成してもよい。上述のように，突起部を設けることで健康回復・健康治療に一層効果がある。そして，かかる突起部は３つとすることができる。すなわち，幾何学的に３点は１つの面を形成する。このことから，突起部を３つ設け，略正三角形の頂点の位置に配置することにより，健康器具の皮膚装着感・安定性を高めることが可能である。
【発明の効果】
【００１１】
以上のように，本発明によれば，人体に装着（接触）する器具であればどのようなものにでも接着でき，汎用性の高い健康器具を提供することが可能である。また，従来のようにテープや糊などの接着面が直接皮膚に触れることがないので，違和感を生じさせたり皮膚への炎症を引き起こしたりすることがない。また，器具と皮膚との間に隠れるため，外観としてもまったく目立つことなく効果を発揮させることが可能である。また，破損したり，汚れたりした場合には容易に交換することができる。
【００１２】
本発明のその他の効果については，以下の発明を実施するための最良の形態の項で説明する。
【発明を実施するための最良の形態】
【００１３】
以下に添付図面を参照しながら，本発明にかかる健康器具の好適な実施形態について詳細に説明する。なお，本明細書および図面において，実質的に同一の機能構成を有する構成要素については，同一の符号を付することにより重複説明を省略する。
【００１４】
（第１の実施形態）
本発明の第１の実施形態について，図１〜図５を参照しながら説明する。
図１は，健康器具１００の構成を示す斜視図である。図２は，図１のＡ−Ａ断面図である。図３は，皮膚接触面１１０の構成を示す平面図である。図４は，器具接着面１２０の構成を示す平面図である。図５は，健康器具１００の使用状態を示す説明図である。
【００１５】
健康器具１００は，図１に示したように，直径が２ｃｍ程度，高さが０．１ｍｍ〜０．３ｍｍ程度の薄板形状であり，ほぼ１円玉と同様のサイズである。本実施形態では，健康器具１００を上面から見た形状が略円形であるが，本発明はこれに限定されず，楕円形，矩形など様々な形状を採用することが可能である。また健康器具１００は，器具や皮膚の形状に合わせて変形できる可撓性を有していてもよい。あるいは，意図しない変形が起こっても容易に復元できるような形状記憶性を有していてもよい。
【００１６】
健康器具１００は，図２に示したように，使用時に皮膚に接触する側に設けられた地板１１２および突起部１１４（これらを皮膚接触面１１０と総称する。）と，使用時に器具に接着する側に設けられた接着部材１２２および保護部材１２４（これらを器具接着面１２０と総称する。）とにより構成されている。なお，図２では，説明の便宜上，各構成要素の寸法を誇張して表現しており，実際の寸法とは異なる。以下では，皮膚接触面１１０および器具接着面１２０の構成についてそれぞれ詳細に説明する。
【００１７】
（皮膚接触面１１０）
皮膚接触面１１０は健康器具１００の使用時に皮膚に接触する面であり，図２，図３に示したように，チタン部材からなる地板１１２と，ゲルマニウム部材からなる突起部１１４とからなる。チタンやゲルマニウムはその電気的特性から自律神経を調整し，新陳代謝を促進する機能が認められ，皮膚への直接的な接触に有効性がある。なお，皮膚接触面１１０は，図２，図３に示した一例では表面が平らになっているが，手首，要部，首筋など身体の湾曲した部位への装着感を高めるために，表面を湾曲させた形状とすることも可能である。
【００１８】
地板１１２はその全体がチタンであってもよく，安価な金属等からなる地板の表面にチタンをコーティングしたものであってもよい。チタンのコーティングは，例えば蒸着法などの物理的手法やメッキ法などの化学的手法などを用いることができる。また，健康回復・健康治療の観点からはチタンの純度が高いほど好ましいが，肌接触性等の他の観点に鑑みれば，他の金属との合金や積層体とすることも可能である。なお，地板１１２の材質をチタンとしたのは一例に過ぎず，その他にも，例えば地板１１２の材質をゲルマニウムとすることも可能である。
【００１９】
地板１１２上には，図２，図３に示したように，突起部１１４が設けられている。本実施形態では，突起部１１４が３つ設けられており，３つの突起部１１４は略正三角形の頂点の位置に配置されている。幾何学的に３点は１つの面を形成することから，突起部１１４を３つ設け，略正三角形の頂点の位置に配置することにより，健康器具１００の皮膚装着感・安定性を高めることが可能である。
【００２０】
突起部１１４は，図２に示したように，突起の頭部が丸みを帯びた形状からなる。かかる形状の突起部１１４が皮膚に触れることにより，皮膚に適度の刺激を与えることができる。本実施形態にかかる健康器具１００は，手首，足裏，腰部，首筋，こめかみなど身体の様々な部位に装着することができる。従って，突起部１１４により体の壺を刺激することができ，健康回復・健康治療に一層効果がある。
【００２１】
突起部１１４はその全体がゲルマニウムであってもよく，安価な金属等の表面にゲルマニウムをコーティングしたものであってもよい。ゲルマニウムのコーティングは，例えば蒸着法などの物理的手法やメッキ法などの化学的手法などを用いることができる。また，健康回復・健康治療の観点からはゲルマニウムの純度が高いほど好ましいが，肌接触性等の他の観点に鑑みれば，他の金属との合金や積層体とすることも可能である。なお，突起部１１４の材質をゲルマニウムとしたのは一例に過ぎず，その他にも，例えば突起部１１４の材質をチタンとすることも可能である。
【００２２】
なお，突起部１１４は必ずしも必須の構成要素ではなく，突起部１１４を設けない健康器具とすることも可能である。
【００２３】
図２に示した一例では，突起部１１４は，皮膚接着面１１０（地板１１２）の窪みに取り付けられている。地板１１２と突起部１１４との取り付けは，接着剤などによる接着，嵌合などの構造的手法，溶接などの物理的手法など任意の手法を採用することができる。また，地板１１２と突起部１１４を同一素材で形成することもできる。この場合には，地板１１２と突起部１１４とを一体に形成することができ，地板１１２と突起部１１４との取り付け工程を省略することができる。
【００２４】
（器具接着面１２０）
器具接着面１２０は健康器具１００の使用時に器具に接着する面であり，図２，図４に示したように，接着部材１２２と，接着部材１２２を覆う保護部材１２４とからなる。器具接着面１２０が接着される器具は，人体が常時または所定時間触れることがある任意の物である。例えば，リストバンド，コルセット，靴の中敷き，コンピュータのマウスなどである。これらの中には一般に「器具」と称されないものも含まれているが，本実施形態では，健康器具１００の取り付け対象を「器具」と総称する。器具の具体例については，後述の第２の実施形態でさらに説明する。
【００２５】
器具接着面１２０は，図２，図４に示した一例では表面が平らになっているが，様々な形状を採用することが可能である。上述のように，健康器具１００は任意の器具に接着可能であるが，例えば，健康器具１００を特定の器具に取り付ける専用品とする場合には，その取り付ける器具の形状に合わせて，器具接着面１２０の表面を様々な形状とすることができる。例えば，健康器具１００をリストバンドに取り付ける専用品とする場合には，器具接着面１２０の表面をリストバンドに適合するように湾曲させた形状とすることが可能である。
【００２６】
接着部材１２２は，健康器具１００の使用時に健康器具１００を器具に接着するための部材であり，テープや糊などの材質からなる。本実施形態にかかる健康器具１００において，接着部材１２２は皮膚に直接触れることがない。このため，接着部材１２２の材質を選択するに当たり，人体に違和感を与えないようにといった人体への配慮の制限を受けることがない。このようにして，接着部材１２２は，器具への接着性や剥離性といった機能性を最大限に発揮させることが可能である。
【００２７】
保護部材１２４は，接着部材１２２を覆うことで，未使用時に接着部材１２２への異物の付着を防ぐ役割を果たす。そして，健康器具１００の使用時に保護部材１２４を剥がすことで，下地の接着部材１２２を露出させることができる。保護部材１２４には，保護部材１２４を剥離しやすいように，図４に示したように，切れ込み１２６を形成することが可能である。あるいは，保護部材１２４を接着部材１２２よりも若干大きく形成したり，保護部材１２４を剥がす際に指でつまむ部分を形成したりすることで，保護部材１２４を剥離しやすくすることも可能である。
【００２８】
以上，健康器具１００の構成について説明した。
【００２９】
図５は，健康器具１００の使用状態を示す説明図である。図５に示したように，健康器具１００は任意の器具２００に接着することができる。図５に示した一例では，器具２００は表面が平らになっており，それに合わせて健康器具１００の器具接着面１２０も表面が平らになっている。器具２００の具体例については，後述の第２の実施形態でさらに説明する。そして，器具２００が人体に装着されると，皮膚接触面１１０が皮膚３００に接触する。このとき，突起部１１４が皮膚３００を適度に押圧する。健康器具１００が器具２００と皮膚３００との間に隠れるため，外観としてもまったく目立つことがない。
【００３０】
（第１の実施形態の効果）
以上説明したように，本実施形態によれば，人体に装着（接触）する器具であればどのようなものにでも接着でき，汎用性の高い健康器具１００を提供することが可能である。また，従来のようにテープや糊などの接着面が直接皮膚に触れることがないので，違和感を生じさせたり皮膚への炎症を引き起こしたりすることがない。また，健康器具１００が器具と皮膚との間に隠れるため，外観としてもまったく目立つことなく効果を発揮させることが可能である。また，健康器具１００が破損したり，汚れたりした場合には容易に交換することができる。
【００３１】
また，ゲルマニウムやチタンは人体の皮膚などに接触させることにより，健康回復や健康治療などの効果が確認されている。
【００３２】
また，今までに無い発想として，健康器具１００を人体に直接接触させることができるが，貼り側が効果を及ぼすものではなく，貼り側と反対側が，人体の皮膚に接触することにより効果をもたらす。
【００３３】
（第２の実施形態）
本発明の第２の実施形態として、上記第１の実施形態で説明した健康器具１００を様々な器具に装着した例について説明する。図６は，健康器具１００を様々な器具に装着した例を示す説明図である。
【００３４】
（ａ）リストバンド
リストバンドの裏側に健康器具１００を接着させることで，健康器具１００を手首に装着することが可能である。上述のように，リストバンド専用の健康器具１００とする場合には，健康器具１００の形状を湾曲させて，手首への装着感を高めることも可能である。同様の観点から，健康器具１００を腕時計に接着させることも可能である。
【００３５】
（ｂ）コルセット
健康器具１００は，手首のほか，身体の様々な部位に接触させることが可能である。例えば，健康器具１００をコルセットに接着させることで，腰部に健康器具１００を接触させることが可能である。同様の観点から，健康器具１００を肌着，はちまき，靴下等に接着させることが可能である。
【００３６】
（ｃ）靴の中敷き
足裏を刺激することで，足にたまった血液や老廃物をポンプのように押し上げ，血液の循環を促進させることができる。このことから足裏は第２の心臓と言われる。また，足裏には人体の壺が集中している。そこで，靴の中敷きあるいは靴の底面に健康器具１００を接着することにより，健康器具１００の突起部１１４による刺激も相俟って，健康回復・健康治療に極めて効果的である。
【００３７】
（ｄ）マウス
上記例（ａ）〜（ｃ）では，健康器具１００が受動的に人体に接触することで，効果が得られるものであるが，人が積極的に接触する物に健康器具１００を接着させておくことも可能である。このような物としてはコンピュータのマウス，携帯電話，筆記具，マグカップ，ポータブルオーディオ機器等がある。
【００３８】
（第２の実施形態の効果）
以上説明したように，健康器具１００は，人体に装着（接触）する器具であればどのようなものにでも接着でき，汎用性の高い健康器具を提供することが可能である。
【００３９】
以上，添付図面を参照しながら本発明にかかる健康器具の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【００４０】
例えば，上記実施形態では，突起部１１４が３つ設けられており，３つの突起部１１４が略正三角形の頂点の位置に配置されている例について説明したが，本発明はこれに限定されない。突起部の数は１つでも２つでもよく，あるいは４つ以上であってもよい。また，突起部が３つである場合でも，任意の位置に配置することが可能である。また，突起部の形状（大きさ等）も図１等に示した形状に限定されず，任意の形状を採用することができる。また，突起部の形状と数との関係も任意に設定することができる。例えば，突起部の形状を極めて小さくして多数の突起部を設けてもよく，あるいは，比較的大きな形状の突起部を１つだけ設けるようにしてもよい。
【産業上の利用可能性】
【００４１】
本発明は健康器具にかかり，特に，皮膚への接触に有効性がある部材を含む健康器具に関する。
【図面の簡単な説明】
【００４２】
【図１】健康器具１００の構成を示す斜視図である。
【図２】図１のＡ−Ａ断面図である。
【図３】皮膚接触面１１０の構成を示す平面図である。
【図４】器具接着面１２０の構成を示す平面図である。
【図５】健康器具１００の使用状態を示す説明図である。
【図６】健康器具１００を様々な器具に装着した例を示す説明図である。
【符号の説明】
【００４３】
１００  装置
１１０  皮膚接触面
１１２  地板（チタン部材）
１１４  突起部（ゲルマニウム部材）
１２０  器具接着面
１２２  接着部材
１２４  保護部材
１２６  切れ込み
２００  器具
３００  皮膚
【図１】
2007089796.tif 000003
【図２】
2007089796.tif 000004
【図３】
2007089796.tif 000005
【図４】
2007089796.tif 000006
【図５】
2007089796.tif 000007
【図６】
2007089796.tif 000008